(57)【要約】【課題】携帯端末にて撮影された食品の目利き情報を当該携帯端末に容易に提供する。【解決手段】携帯端末１０１から食品を撮影した撮影画像が送信された撮影画像とともに無線基地局１０２の識別情報が送信され、ネットワーク１０４を介して無線基地局１０２と接続されたデータベースを有するサーバ１０３にて、識別情報に基づいて国名が認識され、該国名を検索キーとして食品名がデータベースから検索され、検索された食品名にデータベースにて対応付けられた画像データの中から撮影画像と一致するものが検索され、撮影画像と一致した画像データにデータベースにて対応付けられた測定ポイントにて撮影画像の食品が測定され、測定された結果と当該測定ポイントにデータベースにて対応付けられた判断基準とが比較され、比較された結果に基づいて、当該食品が良品かどうかを示す目利き情報が無線基地局１０２を介して携帯端末１０２へ送信される。【選択図】図１
2008197966.tif 000002
【特許請求の範囲】
【請求項１】
食品を撮影した撮影画像を送信する携帯端末と、
前記携帯端末から送信された撮影画像を受信する無線基地局と、
ネットワークを介して前記無線基地局と接続され、国名と前記食品の食品名と当該食品の画像データと当該食品が良品かどうかを判断するための測定を行う測定ポイントと該測定ポイントにおける測定結果に基づいて当該食品が良品かどうかを判断するための判断基準とを予め対応付けて格納したデータベースを具備するサーバとを有し、
前記無線基地局は、前記受信した撮影画像を、当該無線基地局を識別可能な識別情報とともに前記サーバへ送信し、
前記サーバは、前記識別情報に基づいて国名を認識し、該国名を検索キーとして前記食品名を前記データベースから検索し、前記撮影画像と一致する画像データを前記検索された食品名に前記データベースにて対応付けられた画像データの中から検索し、前記撮影画像と一致した画像データに前記データベースにて対応付けられた測定ポイントにて前記撮影画像の食品を測定し、測定された結果と当該測定ポイントに前記データベースにて対応付けられた判断基準とを比較し、比較した結果に基づいて、前記食品が良品かどうかを示す目利き情報を前記無線基地局を介して前記携帯端末へ送信する情報提供システム。
【請求項２】
請求項１に記載の情報提供システムにおいて、
前記無線基地局は、該無線基地局の位置を示す位置情報を前記撮影画像とともに前記サーバへ送信することを特徴とする情報提供システム。
【請求項３】
無線基地局と接続され、該無線基地局から送信された当該無線基地局を識別可能な識別情報を、当該無線基地局に接続された携帯端末から送信された食品を撮影した撮影画像ともに受信するサーバであって、
国名と前記食品の食品名と当該食品の画像データと当該食品が良品かどうかを判断するための測定を行う測定ポイントと該測定ポイントにおける測定結果に基づいて当該食品が良品かどうかを判断するための判断基準とを予め対応付けて格納したデータベースと、
前記識別情報に基づいて国名を認識し、該国名を検索キーとして前記食品名を検索し、前記撮影画像と一致する画像データを前記検索された食品名に対応付けられた画像データの中から検索する検索部と、
前記撮影画像と一致した画像データに対応付けられた測定ポイントにて前記撮影画像の食品を測定し、測定された結果と当該測定ポイントに対応付けられた判断基準とを比較する比較部と、
前記比較部にて比較した結果に基づいて、前記食品が良品かどうかを示す目利き情報を前記無線基地局を介して前記携帯端末へ送信する送信部とを有するサーバ。
【請求項４】
食品を撮影した撮影画像を送信する携帯端末と、前記携帯端末から送信された撮影画像を受信する無線基地局と、ネットワークを介して前記無線基地局と接続され、国名と前記食品の食品名と当該食品の画像データと当該食品が良品かどうかを判断するための測定を行う測定ポイントと該測定ポイントにおける測定結果に基づいて当該食品が良品かどうかを判断するための判断基準とを予め対応付けて格納したデータベースを具備するサーバとを有する情報提供システムにおける情報提供方法であって、
前記無線基地局が、前記受信した撮影画像を、当該無線基地局を識別可能な識別情報とともに前記サーバへ送信する処理と、
前記サーバが、前記識別情報に基づいて国名を認識する処理と、
前記サーバが、前記国名を検索キーとして前記食品名を前記データベースから検索する処理と、
前記サーバが、前記撮影画像と一致する画像データを前記検索された食品名に前記データベースにて対応付けられた画像データの中から検索する処理と、
前記サーバが、前記撮影画像と一致した画像データに前記データベースにて対応付けられた測定ポイントにて前記撮影画像の食品を測定する処理と、
前記サーバが、前記測定された結果と当該測定ポイントに前記データベースにて対応付けられた判断基準とを比較する処理と、
前記サーバが、前記比較した結果に基づいて、前記食品が良品かどうかを示す目利き情報を前記無線基地局を介して前記携帯端末へ送信する処理とを有する情報提供方法。
【請求項５】
請求項４に記載の情報提供方法において、
前記無線基地局が、該無線基地局の位置を示す位置情報を前記撮影画像とともに前記サーバへ送信する処理を有することを特徴とする情報提供方法。
【発明の詳細な説明】
【技術分野】
【０００１】
本発明は、携帯端末から送信された情報に関わる詳細情報を当該携帯端末に提供する情報提供システム、サーバ及び情報提供方法に関する。
【背景技術】
【０００２】
最近、食品に対する健康志向や安全性を求める消費者が増加しているが、一方で外食などで料理をしない、また加工された食品で食事を済ませているといった消費者も少なくない。これにより、店内に陳列されている食品、特に鮮魚や精肉等の生鮮食品を見ただけでは、その食品が安全で、かつ質の良い食品であるかどうかを判断する能力が以前にも増して衰えているという現状がある。この能力の衰えを考慮しない場合であっても、海外に出かけた際に、現地の食品を見ただけでは、その食品がどんなものなのか分からないことが多い。
【０００３】
そこで、生鮮市場等に陳列されている食品を撮影した画像や価格等の情報を携帯端末等からコンピュータへ送信し、コンピュータにて受信された食品の画像や価格等の情報に基づいて当該食品の買い付けの可否の判断を行うシステムが考えられている（例えば、特許文献１参照。）。これにより、当該食品の買い付けの可否だけではなく、当該食品の買い付けについてのアドバイス情報等の詳細情報（以下、目利き情報と称する）の検索も可能となる。
【０００４】
また、生鮮食品の取引を行う場合、取引を行う者が所持している携帯端末に搭載されたＧＰＳ（Global Positioning System）機能を用いて取引位置をサーバへ送信するシステムが考えられている（例えば、特許文献２参照。）。
【０００５】
特許文献２に記載されたシステムを特許文献１に記載されたシステムに適用することにより、例えば海外にて携帯端末を用いて撮影された食品の画像と、当該ＧＳＰ機能を用いて検索された当該携帯端末の位置情報とがコンピュータへ送信された場合、コンピュータにて位置情報に基づいて検索すべき食品の数を絞ることができ、そのため検索時間を短縮することができる。
【特許文献１】特開２００２−２９７９６６号公報
【特許文献２】特開２００４−２９５４７７号公報
【発明の開示】
【発明が解決しようとする課題】
【０００６】
しかしながら、特許文献１に記載されたシステムにおいては、食品の買い付けの可否を判断する基準として、携帯端末から送信されてきた当該食品の画像とコンピュータに予め記憶された当該食品の新鮮度判定用画像データとの相関度を用いるものであると記載されているが、その相関度の算出方法については記載されていない。
【０００７】
また、特許文献２に記載されたシステムを特許文献１に記載されたシステムに適用した場合、携帯端末にＧＰＳ機能を搭載する必要がある。そのため、携帯端末自体が高価なものになってしまうという問題点がある。また、ＧＰＳ機能を動作させる電力は大きいため、長時間の使用は困難であるという問題点がある。
【０００８】
本発明は、上述したような従来の技術が有する問題点に鑑みてなされたものであって、携帯端末にて撮影された食品の目利き情報を当該携帯端末に容易に提供することができる情報提供システム、サーバ及び情報提供方法を提供することを目的とする。
【課題を解決するための手段】
【０００９】
上記目的を達成するために本発明は、
食品を撮影した撮影画像を送信する携帯端末と、
前記携帯端末から送信された撮影画像を受信する無線基地局と、
ネットワークを介して前記無線基地局と接続され、国名と前記食品の食品名と当該食品の画像データと当該食品が良品かどうかを判断するための測定を行う測定ポイントと該測定ポイントにおける測定結果に基づいて当該食品が良品かどうかを判断するための判断基準とを予め対応付けて格納したデータベースを具備するサーバとを有し、
前記無線基地局は、前記受信した撮影画像を、当該無線基地局を識別可能な識別情報とともに前記サーバへ送信し、
前記サーバは、前記識別情報に基づいて国名を認識し、該国名を検索キーとして前記食品名を前記データベースから検索し、前記撮影画像と一致する画像データを前記検索された食品名に前記データベースにて対応付けられた画像データの中から検索し、前記撮影画像と一致した画像データに前記データベースにて対応付けられた測定ポイントにて前記撮影画像の食品を測定し、測定された結果と当該測定ポイントに前記データベースにて対応付けられた判断基準とを比較し、比較した結果に基づいて、前記食品が良品かどうかを示す目利き情報を前記無線基地局を介して前記携帯端末へ送信する。
【００１０】
また、前記無線基地局は、該無線基地局の位置を示す位置情報を前記撮影画像とともに前記サーバへ送信することを特徴とする。
【００１１】
また、無線基地局と接続され、該無線基地局から送信された当該無線基地局を識別可能な識別情報を、当該無線基地局に接続された携帯端末から送信された食品を撮影した撮影画像ともに受信するサーバであって、
国名と前記食品の食品名と当該食品の画像データと当該食品が良品かどうかを判断するための測定を行う測定ポイントと該測定ポイントにおける測定結果に基づいて当該食品が良品かどうかを判断するための判断基準とを予め対応付けて格納したデータベースと、
前記識別情報に基づいて国名を認識し、該国名を検索キーとして前記食品名を検索し、前記撮影画像と一致する画像データを前記検索された食品名に対応付けられた画像データの中から検索する検索部と、
前記撮影画像と一致した画像データに対応付けられた測定ポイントにて前記撮影画像の食品を測定し、測定された結果と当該測定ポイントに対応付けられた判断基準とを比較する比較部と、
前記比較部にて比較した結果に基づいて、前記食品が良品かどうかを示す目利き情報を前記無線基地局を介して前記携帯端末へ送信する送信部とを有する。
【００１２】
また、食品を撮影した撮影画像を送信する携帯端末と、前記携帯端末から送信された撮影画像を受信する無線基地局と、ネットワークを介して前記無線基地局と接続され、国名と前記食品の食品名と当該食品の画像データと当該食品が良品かどうかを判断するための測定を行う測定ポイントと該測定ポイントにおける測定結果に基づいて当該食品が良品かどうかを判断するための判断基準とを予め対応付けて格納したデータベースを具備するサーバとを有する情報提供システムにおける情報提供方法であって、
前記無線基地局が、前記受信した撮影画像を、当該無線基地局を識別可能な識別情報とともに前記サーバへ送信する処理と、
前記サーバが、前記識別情報に基づいて国名を認識する処理と、
前記サーバが、前記国名を検索キーとして前記食品名を前記データベースから検索する処理と、
前記サーバが、前記撮影画像と一致する画像データを前記検索された食品名に前記データベースにて対応付けられた画像データの中から検索する処理と、
前記サーバが、前記撮影画像と一致した画像データに前記データベースにて対応付けられた測定ポイントにて前記撮影画像の食品を測定する処理と、
前記サーバが、前記測定された結果と当該測定ポイントに前記データベースにて対応付けられた判断基準とを比較する処理と、
前記サーバが、前記比較した結果に基づいて、前記食品が良品かどうかを示す目利き情報を前記無線基地局を介して前記携帯端末へ送信する処理とを有する。
【００１３】
また、前記無線基地局が、該無線基地局の位置を示す位置情報を前記撮影画像とともに前記サーバへ送信する処理を有することを特徴とする。
【００１４】
上記のように構成された本発明においては、携帯端末から食品を撮影した撮影画像が送信され、携帯端末に接続された無線基地局から撮影画像とともに当該無線基地局の識別情報が送信され、ネットワークを介して無線基地局と接続されたデータベースを有するサーバにて、識別情報に基づいて国名が認識され、該国名を検索キーとして食品名がデータベースから検索され、検索された食品名にデータベースにて対応付けられた画像データの中から撮影画像と一致するものが検索され、撮影画像と一致した画像データにデータベースにて対応付けられた測定ポイントにて撮影画像の食品が測定され、測定された結果と当該測定ポイントにデータベースにて対応付けられた判断基準とが比較され、比較された結果に基づいて、当該食品が良品かどうかを示す目利き情報が無線基地局を介して携帯端末へ送信される。
【００１５】
これにより、携帯端末にて撮影された食品が良品かどうかの情報を撮影場所に応じて当該携帯端末に容易に提供することができる。
【発明の効果】
【００１６】
以上説明したように本発明においては、携帯端末から食品を撮影した撮影画像を送信し、携帯端末に接続された無線基地局から撮影画像とともに当該無線基地局の識別情報を送信し、ネットワークを介して無線基地局と接続されたデータベースを有するサーバにて、識別情報に基づいて国名を認識し、該国名を検索キーとして食品名をデータベースから検索し、検索された食品名にデータベースにて対応付けられた画像データの中から撮影画像と一致するものを検索し、撮影画像と一致した画像データにデータベースにて対応付けられた測定ポイントにて撮影画像の食品を測定し、測定された結果と当該測定ポイントにデータベースにて対応付けられた判断基準とを比較し、比較した結果に基づいて、当該食品が良品かどうかを示す目利き情報を無線基地局を介して携帯端末へ送信する構成としたため、携帯端末にて撮影された食品の目利き情報を当該携帯端末に容易に提供することができる。
【発明を実施するための最良の形態】
【００１７】
以下に、本発明の実施の形態について図面を参照して説明する。
【００１８】
図１は、本発明の情報提供システムの実施の一形態を示す図である。
【００１９】
本形態は図１に示すように、携帯端末１０１と、無線基地局１０２と、サーバ１０３とから構成されている。
【００２０】
携帯端末１０１は、撮影機能を有する一般的な携帯端末である。携帯端末１０１にて撮影された画像（以下、撮影画像と称する）は、無線基地局１０２及びネットワーク１０４を介してサーバ１０３へ送信される。
【００２１】
図２は、図１に示した携帯端末１０１の一構成例を示す図である。
【００２２】
図１に示した携帯端末１０１には図２に示すように、アンテナ１１０と、無線部１１１と、撮影部１１２と、入力部１１３と、表示部１１４と、これらを制御する制御部１１５と、電源部１１６とが設けられている。
【００２３】
アンテナ１１０は、無線基地局１０２との間にて無線通信を行う。
【００２４】
無線部１１１は、携帯端末１０１内部にてやり取りされる信号とアンテナ１１０にて送受信される無線信号とのインタフェース部である。
【００２５】
撮影部１１２は、被写体を撮影するカメラである。
【００２６】
入力部１１３は、携帯端末１０１に情報を入力するための入力キーやタッチパネルである。
【００２７】
表示部１１４は、情報を表示する画面である。
【００２８】
電源部１１６は、携帯端末１０１を動作させるための電源を供給する。
【００２９】
なお、図２には、本発明に関わる構成要素のみを示した。
【００３０】
また、無線基地局１０２は、無線上で携帯端末１０１と接続され、携帯端末１０１から送信された撮影画像を、無線基地局１０２が設置されている位置情報とともに、ネットワーク１０４を介してサーバ１０３へ送信する。ここで、無線基地局１０２が設置されている位置情報の代わりに、無線基地局１０２を識別可能な識別情報が送信されるものであっても良い。
【００３１】
サーバ１０３は、ネットワーク１０４を介して無線基地局１０２と接続されている。また、無線基地局１０２及びネットワーク１０４を介して携帯端末１０１から送信されてきた撮影画像に基づいて、当該撮影画像に写っている食品の目利き情報をネットワーク１０４及び無線基地局１０２を介して携帯端末１０１へ送信する。
【００３２】
図３は、図１に示したサーバ１０３の一構成例を示す図である。
【００３３】
図１に示したサーバ１０３は図３に示すように、受信部１３１と、検索部１３２と、目利き情報データベース１３３と、比較部１３４と、送信部１３５とから構成されている。
【００３４】
受信部１３１は、無線基地局１０２及びネットワーク１０４を介して携帯端末１０１から送信された情報を受信する。
【００３５】
検索部１３２は、受信部１３１にて受信された情報のうち、携帯端末１０１にて撮影された撮影画像と無線基地局１０２の位置情報とに基づいて、当該撮影画像に写っている食品が良品（新鮮）かどうかを判断する判断基準を目利き情報データベース１３３から検索する。
【００３６】
目利き情報データベース１３３には、国名と食品名とが予め対応付けて格納されており、また食品名と当該食品の画像と当該食品が良品かどうかを判断する測定ポイントと当該測定ポイントにおける判断基準とが予め対応付けられて格納されている。
【００３７】
図４は、図１に示した目利き情報データベース１３３の内部構成の一例を示す図である。
【００３８】
図１に示した目利き情報データベース１３３には図４に示すように、国別ファイル１３６と、食品別ファイル１３７とが予め格納されている。
【００３９】
図５は、図４に示した国別ファイル１３６の一例を示す図である。
【００４０】
図５に示すように図４に示した国別ファイル１３６は、国名と食品名とが予め対応付けられているものである。これは、その国で販売されている食品の食品名が当該国の国名と対応付けられて格納されているものである。例えば、国名「日本」と食品名「ａ」とが対応付けられている。これは、日本では食品「ａ」が販売されているということを示す。また、国名「日本」と食品名「ｂ」とが対応付けられている。これは、日本では食品「ｂ」が販売されているということを示す。また、国名「日本」と食品名「ｃ」とが対応付けられている。これは、日本では食品「ｃ」が販売されているということを示す。また、国名「タイ」と食品名「ａ」とが対応付けられている。これは、タイでも食品「ａ」が販売されているということを示す。また、国名「タイ」と食品名「ｄ」とが対応付けられている。これは、タイでは食品「ｄ」が販売されているということを示す。また、国名「タイ」と食品名「ｅ」とが対応付けられている。これは、タイでは食品「ｅ」が販売されているということを示す。
【００４１】
図６は、図４に示した食品別ファイル１３７の一例を示す図である。
【００４２】
図６に示すように図４に示した食品別ファイル１３７は、食品名と画像データと測定ポイントと判断基準とが予め対応付けられているものである。これは、携帯端末１０１から送信された撮影画像を識別するための比較対象となる画像データとその食品名と、当該食品が良品かどうかを判断するために測定を行う測定ポイントと、当該測定ポイントにおける測定結果に基づいて当該食品が良品かどうかを判断する判断基準（閾値）とが、対応付けられて格納されているものである。
【００４３】
例えば、食品名「ａ」とその画像データと当該食品が良品かどうかを判断するための測定ポイントが「大きさ」であることと当該食品を良いと判断するためのその大きさが「周囲３０ｃｍ以上」である判断基準とが対応付けられて格納されている。これは、食品「ａ」を良い食品と判断するには、周囲が３０ｃｍ以上の大きさであることを示している。
【００４４】
また、例えば、食品名「ｂ」とその画像データと当該食品が良品かどうかを判断するための測定ポイントが「目の色」であることと当該食品を良いと判断するためのその目の色が「Ｗ以上」である判断基準とが対応付けられて格納されている。これは、食品「ｂ」を良い食品と判断するには、目の色がＷ以上であることを示している。ここで、色を判断する尺度としてＲＧＢを用いるものが考えられる。その場合、その判断基準としては、例えば「Ｒが２４０以上、Ｇが２０以下、Ｂが７０以下（各数値は、説明の便宜上記述した数値であって、現実のものとは異なる）」という形で予め設定されて格納される。これらは、熟練者によって予め設定されて格納されるものが好ましい。
【００４５】
また、例えば、食品名「ｃ」とその画像データと当該食品が良品かどうかを判断するための測定ポイントが「目の色」であることと当該食品を良いと判断するためのその目の色が「Ｘ以上」である判断基準とが対応付けられて格納されている。これは、食品「ｃ」を良い食品と判断するには、目の色がＸ以上であることを示している。
【００４６】
また、例えば、食品名「ｄ」とその画像データと当該食品が良品かどうかを判断するための測定ポイントが「腹の色」であることと当該食品を良いと判断するためのその腹の色が「Ｙ以下」である判断基準とが対応付けられて格納されている。これは、食品「ｄ」を良い食品と判断するには、腹の色がＹ以下であることを示している。
【００４７】
また、例えば、食品名「ｅ」とその画像データと当該食品が良品かどうかを判断するための測定ポイントが「尾びれの色」であることと当該食品を良いと判断するためのその尾びれの色が「Ｚ以上」である判断基準とが対応付けられて格納されている。これは、食品「ｅ」を良い食品と判断するには、尾びれの色がＺ以上であることを示している。
【００４８】
また、測定ポイントは「色及び大きさ」等、複数の測定ポイントの組み合わせであっても良い。また、りんごのつるの太さ等、写真で判断できるパラメータを用いるものであれば良い。また、判断基準としてそれぞれ１つの閾値が設定されたものを示しているが、２つ以上の閾値が設定されたものであっても良い。例えば、２つの閾値が設定された場合、それぞれの閾値との大小関係によって、食品の品質が「良い」、「普通」及び「良くはない」と判断される。
【００４９】
また、比較部１３４は、検索部１３２によって目利き情報データベース１３３から検索された判断基準と受信部１３１にて受信された撮影画像とを比較する。
【００５０】
送信部１３５は、比較部１３４にて比較された結果をネットワーク１０４及び無線基地局１０２を介して携帯端末１０１へ送信する。
【００５１】
以下に、図１に示した情報提供システムにおける情報提供方法について説明する。
【００５２】
図７は、図１に示した情報提供システムにおける情報提供方法を説明するためのシーケンス図である。ここで、携帯端末１０１を所持する者（以下、所持者と称する）がタイの店頭で食品を撮影した場合を例に挙げて説明する。
【００５３】
まず、サーバ１０３に図５及び図６に示したパラメータを予め格納しておく。これは、目利きの熟練者によって行われるものが好ましい。
【００５４】
所持者が携帯端末１０１の撮影部１１２を用いて食品を撮影し（ステップＳ１）、撮影された撮影画像が携帯端末１０１の無線部１１１からアンテナ１１０を介して無線基地局１０２へ送信されると（ステップＳ２）、送信された撮影画像が無線基地局１０２にて受信される（ステップＳ３）。
【００５５】
図８は、ステップＳ１にて所持者が撮影した撮影画像の一例を示す。
【００５６】
図８に示した撮影画像が無線基地局１０２にて受信されると、受信された撮影画像が無線基地局１０２の基地局情報とともにネットワーク１０４を介してサーバ１０３へ送信される（ステップＳ４）。ここで、送信される基地局情報は、無線基地局１０２を識別可能な識別情報であっても良いし、無線基地局１０２が設置されている位置を示す位置情報であっても良く、サーバ１０３にて無線基地局１０３が設置されている国を認識することができる情報であれば良い。
【００５７】
そして、無線基地局１０２から送信された撮影画像と無線基地局１０２の基地局情報とがネットワーク１０４を介してサーバ１０３の受信部１３１にて受信されると（ステップＳ５）、受信された基地局情報に基づいて食品名が検索される（ステップＳ６）。具体的には、基地局情報から無線基地局１０２が設置されている国名が従来の方法によって認識され、その国名を検索キーとして検索部１３２によって目利き情報データベース１３３から食品名が検索される。ここでは、所持者がタイにて食品を撮影した（無線基地局１０２が設置されている国がタイ）場合であるため、「タイ」を検索キーとして食品名が検索される。図５に示した国別ファイル１３６を参照すると、国名「タイ」に対応付けられて格納されている食品名「ａ」、「ｄ」及び「ｅ」が検索される。
【００５８】
そして、撮影画像が図６に示した食品別ファイル１３７にて食品名「ａ」、「ｄ」及び「ｅ」に対応付けられているどの画像データと一致するかが検索部１３２によって検索される。この撮影画像と画像データとの一致／不一致を判断する方法は、例えば従来の顔認証等に用いられる画像の一致／不一致を確認する方法でかまわない。ここで、図８に示した撮影画像は、図６に示した食品別ファイル１３７の食品「ｄ」の画像データと一致するため、撮影された食品の食品名が「ｄ」であることが取得される。このとき食品別ファイル１３７上で食品名「ｄ」に対応付けられている測定ポイント及び判断基準が検索部１３２によって取得される（ステップＳ７）。
【００５９】
その後、検索部１３２によって取得された測定ポイントにおいて撮影画像の食品が測定され、測定された結果と判断基準とが比較部１３４にて比較される（ステップＳ８）。ここで、撮影画像の魚の腹の色がＹ以下である場合、品質は良いと判断され、また撮影画像の魚の腹の色がＹ以上である場合は、品質は良くはないと判断される。判断された結果は目利き情報として送信部１３５からネットワーク１０４を介して無線基地局１０２へ送信される（ステップＳ９）。ここで送信される目利き情報は、判断された結果を示すメッセージである。例えば品質が良いと判断された場合、「この食品は新鮮です。」や「今が食べごろです。」等のメッセージである。また、品質が良くはないと判断された場合は、「新鮮さに若干欠けます。」や「購入後、すぐに食べてください。」や「この魚の目は活き活きしていません。」等のメッセージである。
【００６０】
サーバ１０３の送信部１３５から送信された目利き情報は、ネットワーク１０４を介して無線基地局１０２にて受信され（ステップＳ１０）、受信された目利き情報は無線基地局１０２から携帯端末１０１へ送信される（ステップＳ１１）。
【００６１】
そして、無線基地局１０２から送信された目利き情報が携帯端末１０１のアンテナ１１０を介して無線部１１１にて受信され（ステップＳ１２）、受信された目利き情報が表示部１１４に表示される（ステップＳ１３）。
【００６２】
なお、目利き情報として、食品の品質が示されるものを例に挙げて説明したが、当該食品の品質を確かめる手段が示されるものであっても良い。例えば、対象食品が「スイカ」である場合、「叩いて高い音の場合、まだ実が熟していない。また低い音の場合は、実が熟している。」等の情報が目利き情報として送信されるものであっても良い。
【００６３】
また、食品名についても、目利き情報とともにサーバ１０３から携帯端末１０１へ送信されるものであっても良い。
【図面の簡単な説明】
【００６４】
【図１】本発明の情報提供システムの実施の一形態を示す図である。
【図２】図１に示した携帯端末の一構成例を示す図である。
【図３】図１に示したサーバの一構成例を示す図である。
【図４】図１に示した目利き情報データベースの内部構成の一例を示す図である。
【図５】図４に示した国別ファイルの一例を示す図である。
【図６】図４に示した食品別ファイルの一例を示す図である。
【図７】図１に示した情報提供システムにおける情報提供方法を説明するためのシーケンス図である。
【図８】ステップＳ１にて所持者が撮影した撮影画像の一例を示す。
【符号の説明】
【００６５】
１０１    携帯端末
１０２    無線基地局
１０３    サーバ
１０４    ネットワーク
１１０    アンテナ
１１１    無線部
１１２    撮影部
１１３    入力部
１１４    表示部
１１５    制御部
１１６    電源部
１３１    受信部
１３２    検索部
１３３    目利き情報データベース
１３４    比較部
１３５    送信部
１３６    国別ファイル
１３７    食品別ファイル
【図１】
2008197966.tif 000003
【図２】
2008197966.tif 000004
【図３】
2008197966.tif 000005
【図４】
2008197966.tif 000006
【図５】
2008197966.tif 000007
【図６】
2008197966.tif 000008
【図７】
2008197966.tif 000009
【図８】
2008197966.tif 000010